(57)【要約】      （修正有）【課題】ヒトのサーカディアン・リズムを乱すことが少なく、昼夜において使用可能な、演色性の高い灯具を提供する。【解決手段】ピーク波長が４４０ｎｍ〜４８０ｎｍの範囲内のＬＥＤとその範囲外で長波長側のＬＥＤと並べたＬＥＤ実装基板１３１を含む灯具であり、時刻に応じてピーク波長が４４０ｎｍ〜４８０ｎｍの範囲内のＬＥＤのその範囲外のＬＥＤに対する発光強度比を調整する装置１５１を有する。発光強度比を調整する装置は、昼間はピーク波長が４４０ｎｍ〜４８０ｎｍの範囲内のＬＥＤのその範囲外のＬＥＤに対する強度比を高め、夜間はピーク波長が４４０ｎｍ〜４８０ｎｍの範囲内のＬＥＤのその範囲外のＬＥＤに対する強度比を下げる。【選択図】図１
0003189955.tif 000002
【実用新案登録請求の範囲】
【請求項１】
ＬＥＤを用いた灯具であって、前記灯具はピーク波長が４４０ｎｍ〜４８０ｎｍの範囲内のＬＥＤとその範囲外で長波長側のＬＥＤとで構成され、前記灯具は時刻に応じてピーク波長が４４０ｎｍ〜４８０ｎｍの範囲内のＬＥＤのその範囲外のＬＥＤに対する発光強度比を調整する機能を有することを特徴とする灯具。
【請求項２】
前記灯具は時計を含み、前記発光強度比を調整する機能は、前記時計を用いて自動で行うことを特徴とする請求項１に記載の灯具。
【請求項３】
前記発光強度比を調整する機能は、昼間はピーク波長が４４０ｎｍ〜４８０ｎｍの範囲内のＬＥＤのその範囲外のＬＥＤに対する強度比を高め、夜間はピーク波長が４４０ｎｍ〜４８０ｎｍの範囲内のＬＥＤのその範囲外のＬＥＤに対する強度比を下げる機能であり、これを連続的に調整する機能であることを特徴とする請求項１または２に記載の灯具。
【請求項４】
前記強度比を調整する機能は、正午あるいは太陽の南中時刻においてピーク波長が４４０ｎｍ〜４８０ｎｍの範囲内のＬＥＤのその範囲外のＬＥＤに対する強度比を極大化し、日の出時刻および日の入り時刻に向けてその強度比を２０％以上低減し、夜間においてその強度比をゼロとする機能であることを特徴とする請求項３に記載の灯具。
【請求項５】
前記灯具は白色光または疑似白色光を発生させ、前記ピーク波長が４４０ｎｍ〜４８０ｎｍの範囲外のＬＥＤが、ピーク波長が５８０ｎｍ〜６８０ｎｍの範囲内のＬＥＤと、ピーク波長が４８１ｎｍ〜５１５ｎｍの範囲内のＬＥＤを含むことを特徴とする請求項１〜４の何れか１項に記載の灯具。
【請求項６】
前記灯具が、屋内外照明であることを特徴とする請求項１〜５の何れか１項に記載の灯具。
【請求項７】
前記灯具が、液晶ディスプレイのバックライトであることを特徴とする請求項１〜５の何れか１項に記載の灯具。
【考案の詳細な説明】
【技術分野】
【０００１】
本考案は、ＬＥＤを用いた灯具に関する。
【背景技術】
【０００２】
近年、屋内外照明や液晶ディスプレイのバックライトモジュールの灯具として、発光ダイオード（ＬＥＤ）が採用されている。
【０００３】
灯具に使用されるＬＥＤとしては、青色ＬＥＤに黄色蛍光体の補色を組み合わせた白色ＬＥＤが多く用いられている。また、青色ＬＥＤと緑色蛍光体、赤色蛍光体を組み合わせた白色ＬＥＤや、近紫外ＬＥＤと青色、緑色、赤色の三色の蛍光体を用いた方式が提案されている。また、蛍光体を使用せずに、青色、緑色、赤色の三色のＬＥＤを用いた白色ＬＥＤも用いられている。
【０００４】
非特許文献１には、ヒトの概日リズム（サーカディアン・リズム）に関係するホルモンとしてメラトニンがあり、このメラトニンが夜の光によって分泌が抑制されて生活の夜型化の原因のひとつとなること、特に短波長の光成分を多く含んでいる灯具の方がメラトニンの分泌抑制効果が高いことが報告されている。
【０００５】
また、特許文献１には、人間の生体リズムにとって好ましい光環境を、一日を通して生成できる照明器具が記載され、具体的には、高照度光と中照度光と低照度光とを得ることができる照明器具と、照明器具の点灯制御を行う制御装置が開示されている。
【０００６】
また、特許文献２には、ヒト本来の自然な夜間睡眠の準備などの夜間に適するヒトの生理機能を妨げることなく、日常生活における照明用途としての満足度を確保できるＬＥＤ照明装置として、４００〜５６０ｎｍの波長帯域に含まれる光を発するＬＥＤ発光素子と、その光に励起させる蛍光体を含む照明装置が開示されている。
【０００７】
また、特許文献３には、仕事場所の就業時間において、生体リズムに好ましい光環境と省エネルギー化とを両立させることができる照明制御装置として、相関色温度、照度を調整可能な照明制御装置が開示されている。
【０００８】
また、特許文献４には、赤、緑、青色の各色発光体を備え、高い演色性が得られると共に、状況に応じたメラトニン抑制効率の制御ができる光源装置として、波長のピーク値が６００〜６６０ｎｍの範囲にある赤色光、５３０〜５７０ｎｍの範囲にある緑色光、４２０〜４７０ｎｍの範囲にある青色光、４７０〜５２０ｎｍの範囲にある青色光を用いた光源装置が開示されている。
【０００９】
また、特許文献５には、４４５〜４８０ｎｍの発光体と、それより短波長側の発光体とを選択的に点灯させる発光装置が開示されている。
【先行技術文献】
【特許文献】
【００１０】
【特許文献１】特開２０００−２５２０８４号公報
【特許文献２】特開２００９−１１７１６０号公報
【特許文献３】特開２０１３−１８２８２０号公報
【特許文献４】特開２００７−１７３５５７号公報
【特許文献５】特開２００５−６３６８７号公報
【非特許文献】
【００１１】
【非特許文献１】時間生物学  Ｖｏｌ．１４，  Ｎｏ．１，  Ｐ．１３−２０  （２００８）
【考案の概要】
【考案が解決しようとする課題】
【００１２】
従来のＬＥＤを用いた灯具は、夜間においても短波長の光を発する青色ＬＥＤを用いている場合が多く、この青色ＬＥＤを用いた灯具がヒトのサーカディアン・リズムを乱すことが懸念される。本考案は、ヒトのサーカディアン・リズムを乱すことが少なく、昼夜において使用可能な、演色性の高い灯具を提供することを目的とする。
【課題を解決するための手段】
【００１３】
上記課題に鑑み、本考案のＬＥＤを用いた灯具は、下記の構成を採用する。
【００１４】
（１）ＬＥＤを用いた灯具であって、前記灯具はピーク波長が４４０ｎｍ〜４８０ｎｍの範囲内のＬＥＤとその範囲外で長波長側のＬＥＤとで構成され、前記灯具は時刻に応じてピーク波長が４４０ｎｍ〜４８０ｎｍの範囲内のＬＥＤのその範囲外のＬＥＤに対する発光強度比を調整する機能を有することを特徴とする灯具。
（２）前記灯具は時計を含み、前記発光強度比を調整する機能は、前記時計を用いて自動で行うことを特徴とする（１）に記載の灯具。
（３）前記発光強度比を調整する機能は、昼間はピーク波長が４４０ｎｍ〜４８０ｎｍの範囲内のＬＥＤのその範囲外のＬＥＤに対する強度比を高め、夜間はピーク波長が４４０ｎｍ〜４８０ｎｍの範囲内のＬＥＤのその範囲外のＬＥＤに対する強度比を下げる機能であり、これを連続的に調整する機能であることを特徴とする（１）または（２）に記載の灯具。
（４）前記強度比を調整する機能は、正午あるいは太陽の南中時刻においてピーク波長が４４０ｎｍ〜４８０ｎｍの範囲内のＬＥＤのその範囲外のＬＥＤに対する強度比を極大化し、日の出時刻および日の入り時刻に向けてその強度比を２０％以上低減し、夜間においてその強度比をゼロとする機能であることを特徴とする（３）に記載の灯具。
（５）前記灯具は白色光または疑似白色光を発生させ、前記ピーク波長が４４０ｎｍ〜４８０ｎｍの範囲外のＬＥＤが、ピーク波長が５８０ｎｍ〜６８０ｎｍの範囲内のＬＥＤと、ピーク波長が４８１ｎｍ〜５１５ｎｍの範囲内のＬＥＤを含むことを特徴とする（１）〜（４）の何れか１項に記載の灯具。
（６）前記灯具が、屋内外照明であることを特徴とする（１）〜（５）の何れか１項に記載の灯具。
（７）前記灯具が、液晶ディスプレイのバックライトであることを特徴とする（１）〜（５）の何れか１項に記載の灯具。
【考案の効果】
【００１５】
本考案のＬＥＤを用いた灯具によれば、ヒトのサーカディアン・リズムを乱すことが少なく、昼夜において使用可能な、演色性の高い灯具を提供可能となる効果を有する。
【図面の簡単な説明】
【００１６】
【図１】本願考案の灯具の一例を示す斜視図である。
【図２】本願考案の灯具の一例を示す斜視図である。
【図３】本願考案の灯具の発光スペクトルを示す図である。
【図４】本願考案の灯具のｘｙ色度座標を示す図である。
【図５】本願考案の灯具の発光スペクトルを示す図である。
【図６】本願考案の灯具のｘｙ色度座標を示す図である。
【図７】冬至に近い２０１３年１２月１２日北緯３５．５°、東経１４０．０°付近での可視域のスペクトルを示す図である。
【考案を実施するための形態】
【００１７】
本願考案の灯具は、光源としてＬＥＤを用いた灯具であって、この灯具はピーク波長が４４０ｎｍ〜４８０ｎｍの範囲内のＬＥＤとその範囲外で長波長側のＬＥＤとで構成され、この灯具は時刻に応じてピーク波長が４４０ｎｍ〜４８０ｎｍの範囲内のＬＥＤのその範囲外のＬＥＤに対する発光強度比を調整する機能を有することを特徴とする。
【００１８】
従来より、ヒトのサーカディアン・リズムを乱すことの少ない灯具として色温度や照度、青色光の波長、強度を調整した灯具は多数提案されていたが、青色はヒトの感じる色彩を余すことなく表現する上で光源としての演色性上、重要な光成分であり、また様々な色の蛍光体を励起する上で好都合のため、灯具に用いる光源から青色を除外することは困難であった。そこで本願考案者は、ヒトのサーカディアン・リズムに特に関係する青色光のピーク波長を４４０ｎｍ〜４８０ｎｍという特定の範囲に規定し、そして、このピーク波長の範囲内のＬＥＤとその範囲外で長波長側のＬＥＤとの発光強度比を調整することで、ヒトのサーカディアン・リズムを乱すことが少なく、昼夜において使用可能な、演色性の高い灯具を考案した。
【００１９】
図７は、冬至に近い２０１３年１２月１２日における、北緯３５．５°、東経１４０．０°付近での可視域のスペクトルを、南中時刻の１１時２３分から、太陽が没し始める１６時２３分、そして日没後の１６時４２分まで調べた図である。この図７から、ヒトのサーカディアン・リズムに関係する４４０ｎｍ〜４８０ｎｍの波長域の放射束積分強度、それより長波長の可視域である４８１ｎｍ〜７８０ｎｍの波長域の放射束積分強度等を、１１時２３分（南中時刻）から１６：２３分（日没直前）までまとめた結果を表１に示す。
【００２０】
【表１】
0003189955.tif 000003
【００２１】
表１に示すように、南中時刻における（４４０ｎｍ〜４８０ｎｍの放射束積分強度）／（４８１ｎｍ〜７８０ｎｍの放射束積分強度）の値、０．１４９を、１に規格化すると、日の入り１時間前は、１から０．８５１に、日の入り直前には０．５１１にまで、４４０ｎｍ〜４８０ｎｍの放射束積分強度の比率は低減している。日の入り直後しばらくは青い闇が広がるが、完全な夜には、ヒトのサーカディアン・リズムに関係する４４０ｎｍ〜４８０ｎｍの光は、他の波長域の光とともにゼロとなる。夏至の頃や低緯度の地点を想定すると、日の入り直前は原理的に同じ放射束密度・スペクトルであるが、南中時刻での光の放射束密度は格段に増加するが、直射日光主体のスペクトルについては、大気中を通過する距離が若干短くなるため、（４４０ｎｍ〜４８０ｎｍの放射束積分強度）／（４８１ｎｍ〜７８０ｎｍの放射束積分強度）は、０．１４９より増大すると思われ、南中時刻における（４４０ｎｍ〜４８０ｎｍの放射束積分強度）／（４８１ｎｍ〜７８０ｎｍの放射束積分強度）の値を、１に規格化した際の日の入り１時間前の変化率は０．８５より更に下がり、日の入り直前の変化率は０．５１より更に下がる。従って、南中時刻における（４４０ｎｍ〜４８０ｎｍの放射束積分強度）／（４８１ｎｍ〜７８０ｎｍの放射束積分強度）の値に対し、日の入り時刻に向けてその値を低減する程度は、概ね２０％、あるいはそれ以上と見積もられる。
【００２２】
本願考案の灯具は、その構成要素に時計を含ませることで、時刻に応じてピーク波長が４４０ｎｍ〜４８０ｎｍの範囲内のＬＥＤのその範囲外のＬＥＤに対する発光強度比を自動で調整することが可能となり、昼夜において容易に使用可能な灯具を提供可能となる。すなわち、この灯具の使用者は、昼夜において違和感なくこの灯具を使用することができる。
【００２３】
また本願考案の灯具は、昼間はピーク波長が４４０ｎｍ〜４８０ｎｍの範囲内のＬＥＤのその範囲外のＬＥＤに対する強度比を高め、夜間はピーク波長が４４０ｎｍ〜４８０ｎｍの範囲内のＬＥＤのその範囲外のＬＥＤに対する強度比を下げる機能を有する構成とすることで、ヒトのサーカディアン・リズムを乱すことの少ない灯具を提供可能となる。
【００２４】
特に本願考案の灯具は、正午あるいは太陽の南中時刻においてピーク波長が４４０ｎｍ〜４８０ｎｍの範囲内のＬＥＤのその範囲外のＬＥＤに対する強度比を極大化し、日の出時刻および日の入り時刻に向けてその強度比を２０％以上低減し、夜間においてその強度比をゼロとする機能を設けることで、ヒトのサーカディアン・リズムに適合した灯具とすることができる。すなわち、本願考案者は、前述のように、太陽光スペクトルの実測値から本願考案の灯具の昼間の発光を自然光に近づけることを図り、また夜間においてはヒトのサーカディアン・リズムを乱すことが少なくなるよう発光スペクトルの強度比を定めた。
【００２５】
また、本願考案の灯具は、その光源を白色光または疑似白色光とし、ピーク波長が４４０ｎｍ〜４８０ｎｍの範囲外のＬＥＤが、ピーク波長が５８０ｎｍ〜６８０ｎｍの範囲内のＬＥＤと、ピーク波長が４８１ｎｍ〜５１５ｎｍの範囲内のＬＥＤを含む構成とすることで、演色性の高い灯具を提供可能となる。特に、ピーク波長が４８１ｎｍ〜５１５ｎｍのＬＥＤは、ヒトのサーカディアン・リズムを乱す４４０ｎｍ〜４８０ｎｍの青色光の代替として用いられ、本願考案の灯具の演色性の見劣りを補償することに寄与する。また、さらに演色性を高めるため、他の可視波長域の光を混ぜて調光しても良い。
【００２６】
また、本願考案の灯具は、屋内外照明として好適に用いることが可能である。
【００２７】
また、本願考案の灯具は、液晶ディスプレイのバックライトとして好適に用いることが可能である。
【００２８】
なお、本願考案の灯具を使用可能の液晶ディスプレイは、パーソナルコンピュータ用のディスプレイ、液晶テレビ等に一般的に用いられているディスプレイであり、具体的には、赤色の画素となるセルと、緑色の画素となるセルと、青色の画素となるセルと、各セルを透過する光量をスイッチング可能であり、各画素となるセルを液晶ディスプレイ内に設けたバックライトモジュールを光源として発光可能とする構造を有する。
また、本願考案の灯具をバックライトとして利用するのに適した液晶ディスプレイには、とかく昼夜において凝視されヒトのサーカディアン・リズムを乱しがちな、電子書籍リーダー、ポータブルゲーム機用の液晶ディスプレイがあり、これらの液晶ディスプレイは、カラー、白黒に限らず好適に適用することができる。
【００２９】
以下、図面に基づいて本考案の実施の１つの形態を説明する。本願考案の灯具をバックライトとして用いた液晶ディスプレイは、公知の液晶ディスプレイの製造技術をそのまま適用して製造することができる。
【００３０】
図１は、本考案の灯具を用いた液晶ディスプレイの一例を示す構成図である。
【００３１】
図１において、液晶ディスプレイ１は、液晶パネル１１、拡散部１２、及びＬＥＤを用いたバックライトモジュール１３、バックライトモジュールを構成するＬＥＤの発光強度比を調整する装置１５１を備えている。
【００３２】
液晶パネル１１は、図示しない液晶パネル駆動部により、パネルの座標位置に応じたセルの光の透過率を制御して、後述するバックライトモジュール１３によって照射された光を透過することにより、液晶パネル１１の表面上に文字や図形を表示する。なお、液晶パネル１１には、図示しないカラーフィルタを備えて、各セルの透過光の色調整を行う。
【００３３】
図１に示す方式はＬＥＤを実装した基板１３１をバックライトモジュール１３の側方に設ける方式である。すなわち、液晶ディスプレイ１は、液晶パネル１１、拡散部１２、及びバックライトモジュール１３を備え、拡散部１２は、拡散シート１２１、および拡散板１２２を備えている。拡散シート１２１は、例えば白色ポリエステルシートや白色ポリカーボネイトシートである。
【００３４】
拡散シート１２１は、透過光を比較的微少な範囲で散乱・拡散させる目的で使用され、１枚で又は複数枚のシートを積層させて利用する。拡散シート１２１は、後述する拡散板１２２のドットを目立たなくさせる効果がある。
【００３５】
拡散板１２２は、例えばポリカーボネイトやアクリルを素材とする板状の光拡散部材である。拡散板１２２は、例えば、透明な素材の表面に多数の微小な凹凸（ドット）を備え、この凹凸がレンズの役割を果たして透過光を拡散させる。これにより、バックライトモジュール１３から入射されるＬＥＤの配置位置による平面的な輝度のムラを均一にする。拡散板１２２も１枚での使用以外に、複数枚での使用が可能である。
【００３６】
バックライトモジュール１３は、ＬＥＤ実装基板１３１、リフレクタ１３２、及び導光板１３３、ＬＥＤの発光強度比を調整する装置１５１を備えている。
【００３７】
ＬＥＤ実装基板１３１は、例えば複数のＬＥＤを所定のピッチ（間隔）でライン状に並べたライン状発光部を備える。ＬＥＤは、一列に配置されてもよく、また複数の列に配置されてもよい。複数の列でＬＥＤを配置する場合は、一の列のＬＥＤの位置と、他の列のＬＥＤの位置が互い違いになるように、ＬＥＤの位置がお互いハーフピッチずれた千鳥配置にしても良い。ＬＥＤ実装基板１３１の基板部は、例えばガラスエポキシ基板が使用できる。
【００３８】
ＬＥＤ実装基板１３１に配置されたそれぞれのＬＥＤは、ＬＥＤの発光強度比を調整する装置１５１によって所定の輝度にて光を出射する。
【００３９】
リフレクタ１３２は、ＬＥＤ実装基板１３１のＬＥＤチップから出射された光を導光板１３３のエッジ面に集光させる反射板である。
【００４０】
導光板１３３は、エッジ部（図示、ＬＥＤ実装基板１３１対向面）から入射されたＬＥＤ実装基板１３１の光を、積層された拡散部１２及び液晶パネル１１の面方向に対して均一に拡散させて、導光板１３３を面光源とする機能を備える。入射光の拡散方法としては、例えばアクリルやポリカーボネイトなどの透明板の表面に反射ドットを設けて、透明板内部を進行した光を乱反射させたり、透明板表面に機械加工等により溝加工を施して光を反射させたりする方法などが可能である。また、導光板の厚みをエッジ部分からエッジ部分の反対側に対して徐々に細くするくさび形状とすることにより、エッジから入射された光の出射効率を向上させることができる。
【００４１】
また、光源をエッジ側に配置することができるので、液晶ディスプレイ１の薄型化が可能になる。従って、本実施形態は、例えばノートパソコンなどの用途に適用させることができる。
【００４２】
なお、本実施形態においては、導光板１３３の一のエッジにＬＥＤ実装基板を配置している例を開示しているが、例えば２方向以上のエッジに光源を配置して入射させてもよい。
【００４３】
図２は、本考案の灯具を用いたバックライトの他の一例を示す構成図である。
【００４４】
図２において、液晶ディスプレイは、液晶パネル１１、拡散部１２、及びバックライトモジュール１４、バックライトモジュールを構成するＬＥＤの発光強度比を調整する装置１５２を備えている。ここで、液晶パネル１１及び拡散部１２は、図１の実施形態で説明したものと同様であるため、説明を省略する。
【００４５】
図２において、バックライトモジュール１４は、実装基板１４１、及びＬＥＤ１４２を備える。
【００４６】
実装基板１４１は、例えばガラスエポキシ基板であり、液晶パネル１１及び拡散部１２と平行して積層される。
【００４７】
ＬＥＤ１４２は、実装基板１４１に複数個が面状に配置されて面状発光部を形成している。本実施形態における面状発光部は、ＬＥＤ１４２を実装基板１４１に千鳥格子状に配置されており、面光源として面内での輝度のムラが少なくなるように配置の均一化を図っている。ＬＥＤ１４２の配置方法については、例えば縦横を整列させた配置であってもよい。また、ＬＥＤ１４２の配置密度を上げれば面内の輝度のムラを低減させることができる。
【００４８】
それぞれのＬＥＤ１４２は、実装基板１４１に設けられた配線回路に接続されて、ＬＥＤの発光強度比を調整する装置１５２によって所定の輝度にて光を出射する。
【００４９】
図２の実施形態における拡散部１２は、図１の実施形態における拡散部１２と同じ構成を採用している。但し、ＬＥＤ１４２の配列にともなう入射光のムラを生じる場合は、例えばバックライトモジュール１４と拡散部１２との距離を広くすることにより、ムラの低減を図ることができる。また、拡散板による透過光の拡散が大きくなるように表面のレンズ形状を図１の実施形態とは変更することもできる。
【００５０】
図２の実施形態においては、ＬＥＤ１４２を面状に多く配置することができるので、面光源としての輝度を高くすることができる。
【００５１】
以上、本考案を実施するための形態について詳述したが、本考案は斯かる特定の実施形態に限定されるものではなく、本考案の要旨の範囲内において、種々の変形・変更が可能である。
【００５２】
［第１の実施形態］
ＬＥＤを用いた灯具を、ピーク波長が４６０ｎｍ、４９５ｎｍ、５９０ｎｍ、６６０ｎｍの４種類のＬＥＤを組み合わせて作製した。この灯具では、各ＬＥＤの発光強度を独立して制御可能とした。
【００５３】
４種類のＬＥＤの発光強度を図３のスペクトルとした。この灯具のｘｙ色度を図４に示すが、相関色温度６４９９Ｋ、ｄｕｖ＝０．０００、Ｒａ＝４９の白色の昼光色光源が実現した。
【００５４】
［第２の実施形態］
４種類のＬＥＤの発光強度を図５のスペクトルとした。この灯具のｘｙ色度を図６に示すが、相関色温度２４９４Ｋ、ｄｕｖ＝０．０００、Ｒａ＝６０の電球色光源が実現した
【００５５】
［第３の実施形態］
第１、第２の実施形態の灯具を用いて屋内外照明を作製した。この屋内外照明は内蔵した時計と制御装置により、時刻に応じて４種類のＬＥＤの発光強度を自動で制御可能とした。そして、この制御機能を用いて、日の入り後から日の出までは図５に示した発光スペクトルとし、日の出時刻から太陽の南中時刻までは図５に示した発光スペクトルから図３に示した発光スペクトルまで連続的に変化させ、また太陽の南中時刻から日の入り時刻までは図３に示した発光スペクトルから図５に示した発光スペクトルまで連続的に変化させ、これを繰り返す制御方法をとり、この灯具を点灯させると、その時刻に適した発光スペクトルの発光となるようにした。
【００５６】
この灯具により、ヒトのサーカディアン・リズムを乱すことが少なく、昼夜において使用可能な、演色性の高い灯具が作製された。
【符号の説明】
【００５７】
１  液晶ディスプレイ
１１  液晶パネル
１２  拡散部
１２１  拡散シート
１２２  拡散板
１３  バックライトモジュール
１３１  ＬＥＤ実装基板
１３２  リフレクタ
１３３  導光板
１４  バックライトモジュール
１４１  実装基板
１４２  ＬＥＤ
１５１  発光強度比調整装置
１５２  発光強度比調整装置
【図１】
0003189955.tif 000004
【図２】
0003189955.tif 000005
【図３】
0003189955.tif 000006
【図５】
0003189955.tif 000007
【図４】
0003189955.tif 000008
【図６】
0003189955.tif 000009
【図７】
0003189955.tif 000010
【手続補正書】
【提出日】平成26年1月30日(2014.1.30)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤを用いた灯具であって、前記灯具はピーク波長が４４０ｎｍ〜４８０ｎｍの範囲内のＬＥＤとその範囲外で長波長側のＬＥＤとで構成され、前記灯具は時刻に応じてピーク波長が４４０ｎｍ〜４８０ｎｍの範囲内のＬＥＤのその範囲外のＬＥＤに対する発光強度比を調整する発光強度比調整装置を有することを特徴とする灯具。
【請求項２】
前記灯具は時計を含み、前記発光強度比調整装置は、前記時計を用いて自動で行うことを特徴とする請求項１に記載の灯具。
【請求項３】
前記発光強度比調整装置は、昼間はピーク波長が４４０ｎｍ〜４８０ｎｍの範囲内のＬＥＤのその範囲外のＬＥＤに対する強度比を高め、夜間はピーク波長が４４０ｎｍ〜４８０ｎｍの範囲内のＬＥＤのその範囲外のＬＥＤに対する強度比を下げる装置であり、これを連続的に調整する装置であることを特徴とする請求項１または２に記載の灯具。
【請求項４】
前記発光強度比調整装置は、正午あるいは太陽の南中時刻においてピーク波長が４４０ｎｍ〜４８０ｎｍの範囲内のＬＥＤのその範囲外のＬＥＤに対する強度比を極大化し、日の出時刻および日の入り時刻に向けてその強度比を２０％以上低減し、夜間においてその強度比をゼロとする装置であることを特徴とする請求項３に記載の灯具。
【請求項５】
前記灯具は白色光または疑似白色光を発生させ、前記ピーク波長が４４０ｎｍ〜４８０ｎｍの範囲外のＬＥＤが、ピーク波長が５８０ｎｍ〜６８０ｎｍの範囲内のＬＥＤと、ピーク波長が４８１ｎｍ〜５１５ｎｍの範囲内のＬＥＤを含むことを特徴とする請求項１〜４の何れか１項に記載の灯具。
【請求項６】
前記灯具が、屋内外照明であることを特徴とする請求項１〜５の何れか１項に記載の灯具。
【請求項７】
前記灯具が、液晶ディスプレイのバックライトであることを特徴とする請求項１〜５の何れか１項に記載の灯具。